(57)【特許請求の範囲】
【請求項１】
防水ケース内に血圧計本体が収納設置され、かつ当該防水ケース外に加圧袋を備えた血圧計用カフとマイクが配置されていると共に、当該防水ケースが、潜行時に防水ケースの外部圧の増加に伴ない、防水ケース内に空気を導入して防水ケースの内部圧と外部圧とを平衡にする、エアタンクと連結可能なレギュレータと、浮上時に防水ケースの外部圧の減少に伴ない、防水ケース内の空気を防水ケース外に排出する排気バルブを有する排気管と、血圧計本体の測定開始ボタンを作動せしめる測定開始レバーとを備えていることを特徴とする水中血圧計。
【請求項２】
排気管が、防水ケース内に配設された内部排気管部と防水ケース外に配設された外部排気管部とから成ると共に、当該内部排気管部の下端が、防水ケース内の血圧計本体下位に形設された水受けスペース部に開口していることを特徴とする請求項１記載の水中血圧計。
【発明の詳細な説明】
【技術分野】
【０００１】
本発明は、水中において人体の血圧を測定するための水中血圧計に関する。
【背景技術】
【０００２】
一般に、水泳を始めとする水中運動は健康法の一つと認識されているが、一方でＡＥＤ（自動体外式除細動器）使用例の３０％が水中運動時発作に関係するなど、特に心血管系有病者にとって水中運動が健康リスクと成り得ることを示唆する成績も報告されている。つまり、ヒトの水中での血圧変動を知ることはスポーツ健康医学における重要な課題の一つである。
【０００３】
しかしながら、従来の非侵襲式血圧計は一般に血圧計本体と、加圧袋及びマイクを備えたカフとによって構成され、大気圧下での測定を前提としているものであったため、そもそも水との接触状態下、しかも水圧による加圧状態下にある水中での血圧測定には供し得ないのが実状であった。
【発明の概要】
【発明が解決しようとする課題】
【０００４】
本発明は、上記の如き従来の実状に鑑みてなされたものであり、水や水圧の影響を受けることなく水中で血圧を正常に測定することができる水中血圧計を提供することを課題としている。
【課題を解決するための手段】
【０００５】
本発明者は、上記の課題を解決すべく、種々検討を重ねた結果、水中において、血圧計本体と水との接触を防止し、かつ血圧計本体を水圧と平衡圧に保持する防水ケースを用いれば、極めて良い結果が得られることを見い出し、本発明を完成した。
【０００６】
すなわち、本発明は、防水ケース内に血圧計本体が収納設置され、かつ当該防水ケース外に加圧袋を備えた血圧計用カフとマイクが配置されていると共に、当該防水ケースが、
潜行時に防水ケースの外部圧の増加に伴ない、防水ケース内に空気を導入して防水ケースの内部圧と外部圧とを平衡にする、エアタンクと連結可能なレギュレータと、浮上時に防水ケースの外部圧の減少に伴ない、防水ケース内の空気を防水ケース外に排出する排気バルブを有する排気管と、血圧計本体の測定開始ボタンを作動せしめる測定開始レバーとを備えていることを特徴とする水中血圧計により上記課題を解決したものである。
【発明の効果】
【０００７】
本発明の水中血圧計を用いれば、血圧計本体が水と接触することがなく、しかも防水ケースの内部圧と外部圧とが平衡に保持されるので、水や水圧の影響を受けることなく水中で血圧を正常に測定することができる。
【０００８】
その結果、水中活動時における血圧に関する基礎データの収集時の研究はもとより、各種水中競技、スイミングスクール等への参加者の健康管理も可能となり、スポーツ健康医学分野に大きく貢献することが可能となる。
【図面の簡単な説明】
【０００９】
【図１】本発明水中血圧計の概略構成説明図。
【図２】本発明水中血圧計の使用例を示す概略説明図。
【図３】レギュレータの空気導入作動例を示す概略説明図。
【発明を実施するための形態】
【００１０】
以下本発明の実施の形態を図面と共に説明する。
【００１１】
図１は、本発明水中血圧計の概略構成説明図である。
該図１において、１０は防水ケースで、レギュレータ２０と、排気管３０と、測定開始レバー４０とを備えており、その材質は防水可能なものであれば、金属、プラスチック等特に限定されない。
また、１１は水受けスペース部で、防水ケース１０の下部、換言すれば内部に収納設置された血圧計本体５０の下位に形成されている。
【００１２】
レギュレータ２０は、潜行時に防水ケース１０の外部圧の増加に伴ない、防水ケース１０内に自動的空気を導入して防水ケース１０の内部圧と外部圧とを平衡にするもので、ダイアフラム２１と、該ダイアフラム２１の変形に連動して開閉するバルブ２２が設置された空気導入管２３とを備え、当該空気導入管２３は呼吸用エアタンク１００と連結可能となっている。
【００１３】
排気管３０は、浮上時に防水ケース１０の外部圧の減少に伴ない、防水ケース１０内の空気を防水ケース１０外に排出するもので、防水ケース１０内に配設された内部排気管部３１と防水ケース１０外に配設された外部排気管部３２とから成り、当該内部排気管部３１と外部排気管部３２の連結部内に、防水ケース１０の内部圧が外部圧より高いときに開き、当該内部圧が外部圧以下のときに閉じる排気バルブ３３が設置されている。
尚、当該内部排気管部３１は、その下端３１ａが防水ケース１０の水受けスペース部１１に開口するように配設されている。
【００１４】
測定開始レバー４０は、防水ケース１０の外部から防水ケース１０内に収納設置された血圧計本体５０の測定開始ボタン５１を作動せしめるもので、その一端が防水ケース１０外壁に枢着されていると共に、上下回動する他端に磁石（図示省略）が取り付けられている。一方、防水ケース１０内の血圧計本体５０の測定開始ボタン５１の上方には、略中央部に測定開始ボタン操作用凸部６１を備えている上下回動バー６０が配設されている。この上下回動バー６０の一端は防水ケース１０内壁に枢着されていると共に、測定開始レバー４０側において上下回動する他端に磁石（図示省略）が取り付けられている。
斯かる構成により、測定開始レバー４０を引き下げると、測定開始レバー４０の磁石と上下可動バー６０の磁石の磁力により上下回動バー６０も下動し、測定開始ボタン操作用凸部６１が測定開始ボタン５１を押すことで、血圧計本体５０のスイッチが入るようになっている。このように、磁石の磁力により測定開始ボタン５１の作動を制御しているので、防水ケース１０に穴を形設する必要がないので、水が侵入する恐れもない。
【００１５】
７０は防水ケース１０外に配設された血圧計用カフで、その内側には加圧袋８０が装着されている。当該加圧袋８０は、空気管８１を介して防水ケース１０内の血圧計本体５０と空気導入可能に連結されている。
９０は防水ケース外に配設された血圧計用マイクで、血圧測定時には加圧袋８０の内部に入れて使用される。当該血圧計用マイク９０は、チューブ等で防水加工したコード９１を介して、コロトコフ音の伝達可能に防水ケース１０内の血圧計本体５０に連結されている。
【００１６】
次に、上記の実施の形態に係る水中血圧計の使用方法を説明する。
【００１７】
まず、図２に示すように、血圧計本体５０が収納設置された防水ケース１０を呼吸用エアタンク１００の外壁に取り付け固定すると共に、当該呼吸用エアタンク１００内に空気導入管２３を連結し、その状態で被測定者が呼吸用エアタンク１００を装着する。
次いで、被測定者の腕Ｐに、加圧袋８０の内側に血圧計用マイク９０を入れた状態で血圧計用カフを巻回固定する。
因に、斯かる状態におけるレギュレータ２０のバルブ２２は、図３（１）に示されているように、防水ケース１０の内部圧と外部圧が平衡状態となっているため、閉じられていると共に、排気管３０の排気バルブ３３も閉じられている。
【００１８】
次いで、呼吸用レギュレータ１１０を口に装着して潜行すると、図３（２）に示されているように、防水ケース１０の外部圧が増加するので、レギュレータ２０のダイアフラム２１が変形し、その変形に連動してバルブ２２が開き、空気導入管２３が開口するので、呼吸用エアタンク１００から空気が防水ケース１０内に導入される。
【００１９】
次いで、防水ケース１０の内部圧と外部圧とが平衡になるまで防水ケース１０内に空気が導入されるとダイアフラム２１の変形が元に戻るので、図３（１）に示す状態となり、レギュレータ２０のバルブ２２が閉じられ、空気の導入が停止される。因に、この状態においても排気管３０の排気バルブ３３は閉じられているため、水が防水ケース１０内に侵入することは防止されている。
【００２０】
次いで、斯かる状態で測定開始レバー４０を操作し、血圧計本体５０の測定開始ボタン５１を作動せしめれば、大気中におけると同様に、潜行中の被測定者の血圧が正常に測定記録される。
【００２１】
次いで、血圧測定後浮上すると、防水ケース１０の外部圧が内部圧より減少するので、大きな内部圧により排気管３０の排気バルブ３３が開き、防水ケース１０内の空気が内部排気管部３１〜外部排気管部３２を経て防水ケース１０外に排出され、防水ケース１０の内部圧と外部圧が平衡になると排気バルブ３３が閉じる。
【００２２】
仮に、何らかの事情により、防水ケース１０内に水Ｗが侵入した場合には、水受けスペース部１１に貯水されるので、血圧計本体５０と水との接触を防止することができる。またタイヤフラム２１を押し、バルブ２２を開いて呼吸用エアタンク１００から空気を防水ケース１０内に導入すれば、防水ケース１０の内部圧が外部圧より高まり、排気バルブ３３が開くので、水受けスペース部１１の水が内部排気管部３１〜外部排気管部３２を経て防水ケース１０外に排水することができる。
【符号の説明】
【００２３】
１０：防水ケース
１１：水受けスペース部
２０：レギュレータ
２１：ダイアフラム
２２：バルブ
２３：空気導入管
３０：排気管
３１：内部排気管部
３２：外部排気管部
４０：測定開始レバー
５０：血圧計本体
５１：測定開始ボタン
６０：上下回動バー
６１：測定開始ボタン操作用凸部
７０：血圧計用カフ
８０：加圧袋
８１：空気管
９０：血圧計用マイク
９１：コード
１００：呼吸用エアタンク
１１０：呼吸用レギュレータ
Ｐ：腕
Ｗ：水
【図１】
0005569904.tif 000002
【図２】
0005569904.tif 000003
【図３】
0005569904.tif 000004